(57)【要約】【課題】  小片状の水処理担体を汚水槽等に投入する際に、その投入作業を容易かつ短時間に行うことができるとともに、水処理担体の秤量を正確に行うことができ、しかも、その投入作業時に、水処理担体が汚水槽の周囲に散乱したり、作業者の衣服に付着したりするのを防止することができる水処理担体パッケージ及びその製造方法を提供する。【解決手段】  袋体１２を水溶性及び非通気性を有する樹脂フィルムから形成する。袋体１２内に小片状の水処理担体１３を所定量秤量して収容する。袋体１２内を真空引きすることにより、水処理担体１３を圧縮梱包する。この水処理担体１３の圧縮梱包状態で、袋体１２を非水溶性の樹脂フィルムよりなる外袋１５内に封入する。【選択図】      図１
2005279585.tif 000002
【特許請求の範囲】
【請求項１】
水溶性樹脂からなる袋体に、小片状の水処理担体を所定量梱包した水処理担体パッケージ。
【請求項２】
前記袋体の開口部は、水溶性樹脂からなる結束体により結束されている請求項１に記載の水処理担体パッケージ。
【請求項３】
前記袋体は非通気性のフィルムからなり、前記水処理担体は圧縮して梱包されている請求項１または請求項２に記載の水処理担体パッケージ。
【請求項４】
前記水処理担体の圧縮は、袋体内を真空引きすることにより行われている請求項３に記載の水処理担体パッケージ。
【請求項５】
前記袋体は、水処理担体を圧縮梱包した状態で、非水溶性樹脂よりなる外袋内に封入されている請求項３または請求項４に記載の水処理担体パッケージ。
【請求項６】
前記水処理担体は、粒径が１〜２０ｍｍの連続気泡ポリウレタン発泡体よりなる請求項１〜請求項５のうちのいずれか一項に記載の水処理担体パッケージ。
【請求項７】
小片状の水処理担体を水溶性樹脂からなる袋体に所定量投入する工程と、袋体を真空引きして水処理担体を袋体内に圧縮梱包する工程とよりなる水処理担体パッケージの製造方法。
【請求項８】
前記水処理担体を袋体に投入する工程には、長尺状の水処理担体素材を粉砕して、小片状の水処理担体を作る工程を付設した請求項７に記載の水処理担体パッケージの製造方法。
【発明の詳細な説明】
【技術分野】
【０００１】
この発明は、汚水を処理するのに用いられる処理担体パッケージ及びその製造方法に関するものである。
【背景技術】
【０００２】
汚水槽等に貯留された汚水は、微生物濾過される。この場合、微生物の住処となるように、汚水槽内には、ポリウレタンフォームやポリエチレン発泡体等よりなる多量の小片状の水処理担体を投入することが行われている。この場合、従来は、前記のような樹脂材料よりなる水処理担体素材を裁断形成して、所要の大きさの小片状の水処理担体を作り、この水処理担体をポリエチレン等の樹脂よりなる包装袋内に収容して、汚水槽等が設置された作業現場まで搬送している。そして、作業現場において包装袋から水処理担体を取り出して、汚水槽内に投入していた。
【発明の開示】
【発明が解決しようとする課題】
【０００３】
ところが、この従来構成においては、小片状の水処理担体が包装袋内に収容された状態にあるため、その水処理担体を包装袋内から取り出して汚水槽内に投入する必要があり、その作業性が非常に面倒で時間がかかるとともに、規定量の水処理担体を投入現場で秤量して投入するのが困難であるという問題があった。
【０００４】
また、この水処理担体の投入時に、水処理担体が汚水槽の周囲に散乱したり、静電気等により作業者の衣服に付着したりして、作業がいっそう面倒になるばかりでなく、清掃等の後処理が必要で、しかも、散乱等した分については、たとえわずかであっても、散逸することになって、規定量を投入したことにならず、好ましくないという問題もあった。
【０００５】
この発明は、このような従来の技術に存在する問題点に着目してなされたものである。その目的は、小片状の水処理担体を汚水槽等に投入する際に、その投入作業を容易かつ短時間に行うことができるとともに、水処理担体の秤量を正確に行うことができる水処理担体パッケージ及びその製造方法を提供することにある。
【０００６】
また、この発明のその上の目的は、水処理担体の投入作業時に、その水処理担体が汚水槽の周囲に散乱したり、作業者の衣服に付着したりするのを防止して、投入作業を容易に行うことができるとともに、規定量の水処理担体を余すことなく全量投入することができる水処理担体パッケージ及びその製造方法を提供することにある。
【課題を解決するための手段】
【０００７】
上記の目的を達成するために、請求項１に記載の水処理担体パッケージに係る発明は、水溶性樹脂からなる袋体に、小片状の水処理担体を所定量梱包したことを特徴とするものである。
【０００８】
請求項２に記載の発明は、請求項１に記載の発明において、前記袋体の開口部が、水溶性樹脂からなる結束体により結束されていることを特徴とするものである。
請求項３に記載の発明は、請求項１または請求項２に記載の発明において、前記袋体が非通気性のフィルムからなり、前記水処理担体が圧縮して梱包されていることを特徴とするものである。
【０００９】
請求項４に記載の発明は、請求項３に記載の発明において、前記水処理担体の圧縮が、袋体内を真空引きすることにより行われていることを特徴とするものである。
請求項５に記載の発明は、請求項３または請求項４に記載の発明において、前記袋体が、水処理担体を圧縮梱包した状態で、非水溶性樹脂よりなる外袋内に封入されていることを特徴とするものである。
【００１０】
請求項６に記載の発明は、請求項１〜請求項５のうちのいずれか一項に記載の発明において、前記水処理担体は、粒径が１〜２０ｍｍの連続気泡ポリウレタン発泡体よりなることを特徴とするものである。
【００１１】
請求項７に記載のパッケージの製造方法に係る発明は、小片状の水処理担体を水溶性樹脂からなる袋体に所定量投入する工程と、袋体を真空引きして水処理担体を袋体内に圧縮梱包する工程とよりなることを特徴とするものである。
【００１２】
請求項８に記載の発明は、前記水処理担体を袋体に投入する工程には、長尺状の水処理担体素材を粉砕して、小片状の水処理担体を作る工程を付設したことを特徴とするものである。
【００１３】
（作用）
請求項１に記載の発明においては、袋体が水溶性樹脂から形成されているため、水処理担体を袋体に梱包されたままの状態で汚水槽等に投入すれば、その袋体が水に溶解して、小片状の水処理担体が汚水中に分散状態で浸漬される。よって、水処理担体の投入作業を容易かつ短時間に行うことができる。また、水処理担体が予め所定量ずつ袋体内に梱包されているため、水処理担体の投入量を現場にて秤量する必要がなく、規定量の水処理担体を正確に投入することができる。
【００１４】
さらに、水処理担体を袋体に梱包されたままの状態で投入することができるため、その投入作業時に、水処理担体が汚水槽の周囲に散乱したり、作業者の衣服に付着したりすることがない。よって、清掃等の後処理が不要になって作業が容易になるとともに、規定量の水処理担体を余すことなく全量投入することができる。
【００１５】
請求項２に記載の発明においては、結束体も水溶性樹脂から形成されているため、袋体の開口部が結束されたままの状態で、水処理担体を袋体及び結束体とともに汚水槽等に投入することができる。よって、投入作業を一層簡素化することができる。
【００１６】
請求項３に記載の発明においては、水処理担体が圧縮梱包されているため、水処理担体パッケージの全体形状を小型にすることができて、その保管や運搬を広いスペースを要することなく都合がよい。
【００１７】
請求項４に記載の発明においては、袋体の真空引きによって、水処理担体を容易かつ効果的に圧縮梱包することができる。
請求項５に記載の発明においては、袋体が水処理担体を圧縮梱包した状態で外袋内に封入されているため、袋体が圧縮梱包状態から形状回復したり、袋体が外気中の湿気により崩壊したりすることを確実に防止することができる。
【００１８】
請求項７に記載の発明においては、前記のような水処理担体パッケージを、簡単な工程にて容易に製造することができる。
請求項８に記載の発明においては、小片状の水処理担体の作成を別工程で行う必要がなく、連続して行うことができて、水処理担体パッケージの製造を一層効率的に行うことができる。
【発明の効果】
【００１９】
以上のように、この発明によれば、小片状の水処理担体を汚水槽等に投入する際に、その投入作業を容易かつ短時間に行うことができるとともに、水処理担体の秤量を正確に行うことができ、しかも、その投入作業時に、水処理担体が汚水槽の周囲に散乱したり、作業者の衣服に付着したりするおそれを防止することができる。
【発明を実施するための最良の形態】
【００２０】
（第１実施形態）
以下に、この発明の第１実施形態を、図１及び図２に基づいて説明する。
図１に示すように、この実施形態の水処理担体パッケージ１１は、袋体１２の内部に、小片状の水処理担体１３を所定量秤量して梱包した構成となっている。この袋体１２は、水と接触したときに速やかに溶解する水溶性を有するとともに、空気を通さない非通気性を有するポリビニルアルコール製のフィルム、例えばアイセロ化学株式会社製の商品名「ソルブロン」等の樹脂材料により形成されている。この水溶性樹脂材料としては、例えば、酢酸ビニル樹脂のフィルム、生分解性樹脂のフィルム等の他のフィルム材料を使用することもできる。
【００２１】
前記水処理担体１３は、連続気泡ポリウレタン発泡体等の樹脂材料により、粒径が１〜２０ｍｍの小片状をなすように形成されている。この水処理担体１３の樹脂材料としては、例えばポリエチレン発泡体等の他の材料を使用することもできる。そして、この小片状の水処理担体１３が汚水槽等の汚水に浸漬されたとき、水処理担体１３に微生物が付着してその水処理担体１３が微生物の住処となり、汚水の浄化が促進されるようになっている。
【００２２】
また、前記袋体１２は、その内部を真空引きすることにより、水処理担体１３を圧縮して梱包した状態に保持されている。そして、この水処理担体１３の圧縮梱包状態で、袋体１２の開口部が結束体１４により結束されている。この結束体１４は、前述した袋体１２と同様に、水と接触したときに速やかに溶解する水溶性樹脂により形成されている。ただし、この結束体１４は、汎用の合成樹脂製ロックタイ等の他の種類の結束体であってもかまわない。
【００２３】
さらに、この水処理担体１３の圧縮梱包状態において、袋体１２が外袋１５内に収容され、その外袋１５の開口部が封止体１６により封止されている。この外袋１５は、例えばポリエチレンフィルム等の非水溶性及び非通気性を有する合成樹脂フィルムから形成されている。そして、この外袋１５によって、袋体１２が外気に対して直接接触しないように遮断されている。
【００２４】
次に、前記のように構成された水処理担体パッケージ１１の製造方法を、図２に基づいて説明する。
まず、第１工程２０には、図２（ａ）に示すように、カウンタ２１、粉砕装置２２及びブロワ２３が装備されている。そして、ブロワ２３の排出部２３ａに前記袋体１２を取り付けた状態で、粉砕装置２２及びブロワ２３が作動されると、長尺状の水処理担体素材２４が粉砕装置２２により粉砕されて、前述した所定粒径を有する小片状の水処理担体１３が作られる。また、この水処理担体１３はブロワ２３により、そのダクト２３ｂを介して排出部２３ａに搬送され、袋体１２内に投入される。ちなみに、排出部２３ａにおいては、水処理担体１３と、それを搬送させるためのエアとが分離され、水処理担体１３のみが袋体１２に回収される。
【００２５】
このとき、カウンタ２１にて水処理担体素材２４の送り量が計測されることにより、袋体１２内への水処理担体１３の投入量が秤量される。そして、水処理担体１３の投入量が所定値に達したとき、粉砕装置２２及びブロワ２３が停止されて、水処理担体１３の粉砕及び袋体１２への投入動作が中止される。よって、袋体１２内には汚水槽等への投入する際の１回分の量に相当する所定量の水処理担体１３が正確に秤量して収容される。
【００２６】
次に、第２工程２５には、図２（ｂ）に示すように、吸引装置２６が装備されている。そして、水処理担体１３が収容された袋体１２をブロワ２３の排出部２３ａから取り外して、吸引装置２６の吸引口２６ａに取り付けた状態で、吸引装置２６が作動されると、袋体１２内が真空引きされて、袋体１２が収縮するとともに、水処理担体１３が袋体１２内に圧縮梱包される。その後、袋体１２を吸引口２６ａから取り外して、その袋体１２の開口部を結束体１４により結束すると、水処理担体１３が圧縮梱包状態に保持される。よって、水処理担体１３を収容した袋体１２は、例えば体積が数分の１以下等となるように小型化される。
【００２７】
続いて、第３工程２７においては、図２（ｃ）に示すように、水処理担体１３が圧縮梱包された状態の袋体１２を外袋１５内に挿入して、その外袋１５の開口部を封止体１６により封止する。これにより、図１に示すように、袋体１２が小型化されたままの状態で外袋１５内に封入されて、水処理担体パッケージ１１が形成される。よって、水処理担体パッケージ１１の保管や運搬中に、水処理担体パッケージ１１がその内部に空気が侵入することによって圧縮梱包状態から形状回復したり、水溶性樹脂よりなる袋体１２が外気中の湿気により崩壊したりするおそれを防止することができる。また、水処理担体パッケージ１１の全体形状が小型になっているため、その保管や運搬を広いスペースを要することなく容易に行うことができる。
【００２８】
次に、前記のような構成の水処理担体パッケージ１１の使用方法について説明する。
さて、この水処理担体パッケージ１１を使用する場合には、汚水槽等の設置現場において、外袋１５の封止体１６を取り外し、または外袋１５を破って、袋体１２を水処理担体１３の圧縮梱包状態のまま外袋１５内から取り出す。その後、水処理担体１３を袋体１２に梱包されたままの状態で、袋体１２及び結束体１４とともに汚水槽等に投入すれば、その袋体１２及び結束体１４が水に溶解して、小片状の水処理担体１３が汚水中に分散して浸漬される。
【００２９】
従って、水処理担体１３の投入を袋単位で行えばよく、作業を容易かつ短時間に行うことができる。特に、袋体１２が真空引きにより圧縮されているので、袋体１２全体がコンパクトであり、汚水槽の開口が狭くても、その投入作業を支障なく、簡単に行うことができる。また、水処理担体１３が予め１回分の使用量に相当する所定量だけ袋体１２内に梱包されているため、水処理担体１３の投入量を現場にて秤量する必要がなく、規定量の水処理担体１３の全量を余すことなく正確に投入することができる。さらに、水処理担体１３を袋体１２に梱包されたままの状態で投入することができるので、その投入作業時に、水処理担体１３が汚水槽等の周囲に散乱したり、静電気により作業者の衣服に付着したりすることがない。よって、作業を容易に遂行できるとともに、清掃等の後処理作業も不要である。
【００３０】
加えて、前述のように、袋体１２は、真空引きにより圧縮されているため、コンパクトで、運搬や保管に都合がよい。
（第２実施形態）
次に、この発明の第２実施形態を、前記第１実施形態と異なる部分を中心にして説明する。
【００３１】
さて、この第２実施形態においては、図３に示すように、前記第１実施形態の場合よりも小さな袋体１２が使用されている。そして、この袋体１２に第１実施形態の場合よりも少量の水処理担体１３が圧縮梱包され、この状態で複数の袋体１２が１つの外袋１５内に封入されている。
【００３２】
従って、この第２実施形態においても、前記第１実施形態における効果と同様の効果を得ることができる。また、この第２実施形態においては、水処理担体１３が複数の袋体１２内に小分けして梱包されているため、汚水槽への水処理担体１３の投入量が少ない場合に、残った水処理担体１３を袋体１２に圧縮梱包されたままの状態で保存することができ、次回の使用に備えることができる。
【００３３】
（変更例）
なお、この実施形態は、次のように変更して具体化することも可能である。
・  前記各実施形態において、袋体１２を真空引きすることなく、袋体１２の外部から機械的な押圧力を付与することにより内部の空気を排出するとともに、水処理担体１３を押し潰して、水処理担体１３を圧縮梱包するように構成すること。
【００３４】
・  袋体１２の開口を結束体１４を用いて結束するのに代えて、結束体１４を用いることなく、ヒートシールにより密封すること。
【図面の簡単な説明】
【００３５】
【図１】第１実施形態の水処理担体パッケージを示す断面図。
【図２】（ａ）（ｂ）（ｃ）は、図１の水処理担体パッケージの製造方法を示す斜視図。
【図３】第２実施形態の水処理担体パッケージを示す断面図。
【符号の説明】
【００３６】
１１…水処理担体パッケージ、１２…袋体、１３…水処理担体、１４…結束体、１５…外袋、２０…第１工程、２１…カウンタ、２２…粉砕装置、２３…ブロワ、２４…水処理担体素材、２５…第２工程、２６…吸引装置、２７…第３工程。
【図１】
2005279585.tif 000003
【図２】
2005279585.tif 000004
【図３】
2005279585.tif 000005